(57)【要約】【課題】大量の牛を購入する場合であっても時間をかけることなく取引を成立させることができ、かつ、インターネットを介しているため牛の移動のためのコストや購入者の移動コストがかからない仮想市場を実現することが可能な子牛のネットオークション管理システムを提供する。【解決手段】本発明の子牛のネットオークション管理システム１は、出品する複数の子牛をまとめるグループ化手段を備え、前記グループ化手段によってグループ化された子牛を販売単位とする。【選択図】図１０
2019192239.tif 000002
【特許請求の範囲】
【請求項１】
子牛の売り主と買い主とをマッチングすることでインターネット上における子牛のオークションを可能にした子牛のネットオークション管理システムであって、
出品する複数の子牛をまとめるグループ化手段を備え、
前記グループ化手段によってグループ化された子牛を販売単位とする、
子牛のネットオークション管理システム。
【請求項２】
生後０〜５か月の子牛を売るための子牛育成者向けメニューと、生後６〜１２か月の子牛を売るための子牛肥育者向けメニューとを設けた、
請求項１に記載の子牛のネットオークション管理システム。
【請求項３】
子牛の血統書をインターネットからダウンロードするための手段を備え、
インデックス画面に父牛、祖父牛、曽祖父牛の三者をインデックス表示する、
請求項１に記載の子牛のネットオークション管理システム。
【請求項４】
血統書に鼻紋がない子牛については信用取引をし、鼻紋がある血統書が届いたら買い主に送付するよう通知する手段を備える、
請求項３に記載の子牛のネットオークション管理システム。
【請求項５】
鼻紋がある血統書が届いたにもかかわらず買い主に送付していない売り主を識別し、当該売り主を管理する手段を備える、
請求項４に記載の子牛のネットオークション管理システム。
【請求項６】
牛の届け先及び頭数に応じて送料を計算する手段を備える、
請求項１に記載の子牛のネットオークション管理システム。
【請求項７】
予め登録されている複数の運送業者の中から推奨する運送業者を選定する運送業者選定手段を備え、
前記運送業者選定手段は、前記登録されている複数の運送業者ごとの配送料を算出し、複数の運送業者のうち配送料が安い運送業者を、推奨する運送業者として選定する、
請求項１〜６のいずれかに記載の子牛のネットオークション管理システム。
【請求項８】
前記配送料は、配送元の住所及び配送先の住所から導出される距離に加え、配送する子牛の頭数に応じた割引率を考慮して算出される、
請求項７に記載の子牛のネットオークション管理システム。
【請求項９】
売り主が落札を希望する価格である希望落札価格の入力を受け付ける手段を備え、
出品する子牛を登録した後の経過日数に応じて前記希望落札価格を自動的に計算する落札価格計算手段をさらに備える、
請求項１〜８のいずれかに記載の子牛のネットオークション管理システム。
【請求項１０】
取引実績に応じて買い主及び／又は売り主に対してランキングを付与し、当該ランキングを管理画面に表示するランキング表示手段を備える、
請求項１〜９のいずれかに記載の子牛のネットオークション管理システム。
【発明の詳細な説明】
【技術分野】
【０００１】
本発明は、子牛のネットオークション管理に関し、特に、複数の子牛を一度に取引するための子牛のネットオークション管理システムとして有用なものである。
【背景技術】
【０００２】
従来、我が国における畜産取引は、都道府県知事の行う登録を受けた者が家畜市場を開設・運営し、せり又は入札の方法による売買を基本としている。市場は一定のエリアごとに開設され、全国で約１００カ所の市場が定期的に開催されている。
【０００３】
また、我が国においては、牛の個体ごとの血統能力を重視し、個体一頭ごとの資質及び健康状態を見極めたうえで取引を行うことが通常となっており、特に黒毛和種においてこの傾向が強い。これは、我が国においては、肉牛の品質が非常に重要視され、一頭ごとの品質をしっかりと見極めて取引を行う必要があるからである。そして、上記の家畜市場においては、購入者は自身の見たいポイントをじっくりと観察し、よく吟味してから購入の決定を行うことができる。
【０００４】
ところで、我が国における肉牛の流通は、産まれた子牛を生後８〜１０か月まで育てる繁殖農家、さらに生後３０か月まで育てる肥育農家、０〜４ヶ月齢の子牛を仕入れて８〜１０か月齢まで育てる育成農家と、畜場や精肉業者、そして小売業者といったように、牛の生育段階ごとに分けられており、上記の家畜市場は、主に、繁殖農家と肥育農家との間で取引を行う際に利用される。
【０００５】
ところで、近年の通信技術の発達に伴い、様々な物品やサービスがインターネット上の仮想店舗を通じて購入可能になってきており、売買の形態も、業者と消費者の間だけでなく、業者が提供するシステムを通じて消費者同士における直接的な取引も行われるようになってきている。このような取引の形態は、実際の店舗や取引が行われる場所に赴く必要がないため、店舗や市場までの商品の移動コストを削減することにつながる。
【０００６】
そして、牛の売買においても、インターネットを利用した市場での取引が提案されている（特許文献１）。
【先行技術文献】
【特許文献】
【０００７】
【特許文献１】特開２００５−２７５６４８号公報
【０００８】
特許文献１では、市場の主催者がインターネット上に仮想の市場を開設し、参加者は各々の参加者端末からインターネットを通じて上記仮想の市場にアクセスし、入札を行うものである。そして、参加者は、インターネットを通じて、取引が行われている牛に関する外観、サイズ、重量、交配履歴及び生育条件等の様々な情報を閲覧することができるとともに、動画として配信される牛の現在の状況も閲覧可能とすることで、購入のための情報を得ることができる。
【発明の概要】
【発明が解決しようとする課題】
【０００９】
このようなサービスを利用することにより、購入を希望する者は、実際の市場に赴くことなく入札に参加することができるため、遠隔に在住する者も競売に参加しやすくなるため、より広く需要が見込めるという効果を奏する。
【００１０】
ところで、上述した実際の市場や特許文献１に記載されるインターネットを利用した牛のオークションにおいては、牛一頭ごとの取引を前提としたシステムが構成されており、このような場合、取引の効率が悪いという問題が生じる。
【００１１】
すなわち、一度に一頭の牛の取引が行われるのみであり、大量の牛を一度に入手したい場合であっても、いちいちせりを行わなければならず、大量の牛を購入するためには膨大な時間がかかってしまう。
【００１２】
また、配信される牛の動画は、参加者が自身の見たい箇所をフォーカスできるようなものではなく、牛一頭をじっくり観察して購入するには不向きのシステムである。
【００１３】
本発明は、このような要望に鑑みてなされたものであり、大量の牛を購入する場合であっても時間をかけることなく取引を成立させることができ、かつ、インターネットを介しているため牛の移動のためのコストや購入者の移動コストがかからない仮想市場を実現することが可能な子牛のネットオークション管理システムを提供することを目的とする。
【課題を解決するための手段】
【００１４】
本発明では、以下のような解決手段を提供する。
【００１５】
第１の特徴に係る発明は、子牛の売り主と買い主とをマッチングすることでインターネット上における子牛のオークションを可能にした子牛のネットオークション管理システムであって、出品する複数の子牛をまとめるグループ化手段を備え、グループ化手段によってグループ化された子牛を販売単位とする、子牛のネットオークション管理システムを提供する。
【００１６】
第１の特徴に係る発明によれば、大量の牛を購入する場合であっても時間をかけることなく取引を成立させることができ、かつ、インターネットを介しているため牛の移動のためのコストや買い主の移動コストがかからない仮想市場を実現することが可能なシステムを提供することが可能となる。
【００１７】
第２の特徴に係る発明は、第１の特徴に係る発明であって、生後０〜５か月の子牛を売るための子牛育成者向けメニューと、生後６〜１２か月の子牛を売るための子牛肥育者向けメニューとを設けた、子牛のネットオークション管理システムを提供する。
【００１８】
第２の特徴に係る発明によれば、生後０〜５か月の子牛を売るための子牛育成者向けメニューと、生後６〜１２か月の子牛を売るための子牛肥育者向けメニューとを設けている
ことにより、例えば肥育農家が生後間もない子牛を購入してしまうといった誤った取引をしてしまうことを防止することができるとともに、子牛の各フェーズにおいて最適なメニューを配信することが可能なシステムを提供できる。
【００１９】
第３の特徴に係る発明は、第１の特徴に係る発明であって、子牛の血統書をインターネットからダウンロードするための手段を備え、インデックス画面に父牛、祖父牛、曽祖父牛の三者をインデックス表示する、子牛のネットオークション管理システムを提供する。
【００２０】
第３の特徴に係る発明によれば、血統書をダウンロードできるため、取引の信頼性を確保することができるとともに、三代の牛の履歴を表示させるため、子牛の血筋を把握することが可能なシステムを提供できる。
【００２１】
第４の特徴に係る発明は、第３の特徴に係る発明であって、血統書に鼻紋がない子牛については信用取引をし、鼻紋がある血統書が届いたら買い主に送付するよう通知する手段を備える、子牛のネットオークション管理システムを提供する。
【００２２】
第４の特徴に係る発明によれば、血統書に鼻紋がない子牛については信用取引をし、鼻紋がある血統書が届くと買い主に送付するため、牛の個体を識別する鼻紋を確実に入手できる仕組みを構築することが可能な、信頼性の高いシステムを提供できる。
【００２３】
第５の特徴に係る発明は、第４の特徴に係る発明であって、鼻紋がある血統書が届いたにもかかわらず買い主に送付していない売り主を識別し、当該売り主を管理する手段、を備える子牛のネットオークション管理システムを提供する。
【００２４】
第５の特徴に係る発明によれば、買い主が鼻紋のある血統書を確実に入手できるため、より信頼性の高いシステムを提供できる。
【００２５】
第６の特徴に係る発明は、第１の特徴に係る発明であって、牛の届け先及び頭数に応じて送料を計算する手段を備える、子牛のネットオークション管理システムを提供する。
【００２６】
第６の特徴に係る発明によれば、牛の届け先及び頭数に応じて送料を計算する手段を備えるため、牛の移動のためのコストを確実に削減することが可能なシステムを提供できる。
【００２７】
第７の特徴に係る発明は、第１から第６のいずれかの特徴に係る発明であって、予め登録されている複数の運送業者の中から推奨する運送業者を選定する運送業者選定手段を備え、運送業者選定手段は、登録されている複数の運送業者ごとの配送料を算出し、複数の運送業者のうち配送料が安い運送業者を、推奨する運送業者として選定する、子牛のネットオークション管理システムを提供する。
【００２８】
第７の特徴に係る発明によれば、運送業者ごとに異なる配送料の設定を、システム側が自動的に調べたうえで、推奨される運送業者を提示するため、落札者の負担を軽減し、使い勝手の良いシステムを構築することができる。
【００２９】
第８の特徴に係る発明は、第７の特徴に係る発明であって、配送料は、配送元の住所及び配送先の住所から導出される距離に加え、配送する子牛の頭数に応じた割引率を考慮して算出される、子牛のネットオークション管理システムを提供する。
【００３０】
第８の特徴に係る発明によれば、運送業者ごとに異なる割引率の設定を考慮に入れた配送料の計算が可能となるため、高い精度で配送料を計算可能なシステムを構築することができる。
【００３１】
第９の特徴に係る発明は、第１から第８のいずれかの特徴に係る発明であって、売り主が落札を希望する価格である希望落札価格の入力を受け付ける手段を備え、出品する子牛を登録した後の経過日数に応じて希望落札価格を自動的に計算する落札価格計算手段をさらに備える、子牛のネットオークション管理システムを提供する。
【００３２】
第９の特徴に係る発明によれば、上場後にも生産者が負担する飼料等の材料費を考慮に入れて希望落札価格を自動的に設定することができるため、生産者の負担を軽減し、より使い勝手の良いシステムを構築することができる。
【００３３】
第１０の特徴に係る発明は、第１から第９のいずれかの特徴に係る発明であって、取引実績に応じて買い主及び／又は売り主に対してランキングを付与し、ランキングを管理画面に表示するランキング表示手段を備える、子牛のネットオークション管理システムを提供する。
【００３４】
第１０の特徴に係る発明によれば、取引実績に応じて買い主及び／又は売り主に対して付与したランキングを表示することにより、買い主及び／又は売り主の名誉欲を刺激することができ、多くの買い主及び売り主を集め、より活発な仮想市場を実現することが可能な子牛のネットオークション管理システムを構築することができる。
【発明の効果】
【００３５】
本発明によれば、大量の牛を購入する場合であっても時間をかけることなく取引を成立させることができ、かつ、インターネットを介しているため牛の移動のためのコストや購入者の移動コストがかからない仮想市場を実現することが可能な子牛のネットオークション管理システムを提供できる。
【図面の簡単な説明】
【００３６】
【図１】図１は、本実施形態における子牛のネットオークション管理システム１のハードウェア構成とソフトウェア機能を示すブロック図である。
【図２】図２は、ネットオークションの事前準備を示すフローチャートである。
【図３】図３は、生産者のホーム画面１０００の一例を示す図である。
【図４】図４は、生産者データベース３１０の一例を示す図である。
【図５】図５は、子牛データベース３２０の一例を示す図である。
【図６】図６は、子牛をグループ化するための画面３０００の一例を示す図である。
【図７】図７は、仮想市場データベース３３０の一例を示す図である。
【図８】図８は、生産者がオークションに出品するための画面４０００の一例を示す図である。
【図９】図９は、ネットオークション実施方法を示すフローチャートである。
【図１０】図１０は、育成者に表示される入札画面５０００の一例を示す図である。
【図１１】図１１は、肥育者に表示される入札画面６０００の一例を示す図である。
【図１２】図１２は、血統書をダウンロードするための画面７０００の一例を示す図である。
【図１３】図１３は、運送業者選定条件入力画面８０００の一例を示す図である。
【図１４】図１４は、推奨運送業者選択画面９０００の一例を示す図である。
【図１５】図１５は、ランキング一覧表示画面１００００の一例を示す図である。
【発明を実施するための形態】
【００３７】
以下、本発明を実施するための形態について図を参照しながら説明する。なお、これはあくまでも一例であって、本発明の技術的範囲はこれに限られるものではない。
【００３８】
［子牛のネットオークション管理システム１の構成］
図１は、本実施形態における子牛のネットオークション管理システム１のハードウェア構成とソフトウェア機能を説明するためのブロック図である。
【００３９】
子牛のネットオークション管理システム１は、データを制御する制御部１００と、ユーザや他の機器と通信を行う通信部２００と、データを記憶する記憶部３００と、ユーザからの情報の入力を受け付ける入力部４００と、制御部１００で制御したデータや画像を出力する表示部５００とを備える。
【００４０】
制御部１００は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備える。
【００４１】
通信部２００は、他の機器と通信可能にするためのデバイス、例えば、ＩＥＥＥ８０２．１１に準拠したＷｉ−Ｆｉ（Ｗｉｒｅｌｅｓｓ  ＦＩＤｅｌｉｔｙ）対応デバイスを備える。
【００４２】
制御部１００は、所定のプログラムを読み込み、必要に応じて通信部２００及び／又は記憶部３００と協働することで、生産者登録モジュール１１１と、子牛登録モジュール１１２と、子牛グループ化モジュール１１３と、仮想市場生成モジュール１２１と、出品牛登録モジュール１２２と、入札者登録モジュール１２３と、仮想市場表示モジュール１２４と、入札価格登録モジュール１２５と、落札者決定モジュール１２６とを実現する。
【００４３】
記憶部３００は、データやファイルを記憶する装置であって、ハードディスクや半導体メモリ、記録媒体、メモリカード等による、データのストレージ部を備える。記憶部３００は、後に説明する生産者データベース３１０、子牛データベース３２０及び仮想市場データベース３３０を記憶する。
【００４４】
入力部４００の種類は、特に限定されない。入力部４００として、例えば、キーボード、マウス、タッチパネル等が挙げられる。
【００４５】
表示部５００の種類は、特に限定されない。表示部５００として、例えば、モニタ、タッチパネル等が挙げられる。
【００４６】
［子牛のネットオークション管理システム１を用いた事前準備］
本実施形態における子牛のネットオークション管理システム１を使用してネットオークションを実施するに先立って行う事前準備について説明する。図２は子牛のネットオークション管理システム１を用いた事前準備のフローチャートである。また、図３は生産者がシステムを利用するにあたり生産者端末に表示されるホーム画面１０００の一例を示す図であり、図４は生産者データベース３１０の一例を示す図であり、図５は子牛データベース３２０の一例を示す図であり、図６は生産者が子牛のグループ化を行うための画面３０００の一例を示す図であり、図７は仮想市場データベース３３０の一例を示す図であり、図８は生産者がネットオークションに出品するための参加登録画面４０００の一例を示す図である。図１〜図８を用いて、上述した各ハードウェアと、ソフトウェアモジュールが実行する処理について説明する。
【００４７】
〔ステップＳ１１０〜Ｓ１３０：生産者の登録〕
最初に、ネットオークションを実施するための事前準備として、生産者に関する情報を登録する。ネットオークション管理システム１を利用して子牛を売る売り主である生産者は、使用する端末（生産者端末）を用いて所定のフォーマットに生産者に関する情報を入力し（ステップＳ１１０）、インターネットを介してネットオークション管理システム１にアクセスし、生産者に関する情報を送信する（ステップＳ１２０）。
【００４８】
システムを利用する生産者は、生産者の情報の登録に先立ちユーザ登録を行う。すなわち、まずユーザ登録を行うことで、生産者ごとに発行されるユーザＩＤとパスワードを入手することができる。そして、ユーザＩＤとパスワードを用いて、生産者はログインを行う。ログインを行うと、図３に示されるような、各生産者向けのホーム画面１０００が生産者端末に表示される。
【００４９】
図３に示すように、生産者向けのホーム画面１０００には、現在ログインしている生産者名１０１０が表示されており、生産者は自身のホーム画面であることを確認できる。また、実行可能なメニューとして、「生産者情報の登録／変更１０２０」「子牛の新規登録１０３０」「グループの作成１０４０」「登録子牛の一覧１０５０」「オークションの参加登録１０６０」ボタンが表示されており、それぞれのボタンを押下することで、それぞれの操作を実行するページに移動する。また、システムからのお知らせ１０７０が表示されるようになっており、例えば、近いうちに開催されるオークションの情報や、農場にとって役に立つ情報など、ネットオークション管理システム１を運営する側から発信される情報が表示されるようになっている。
【００５０】
ステップＳ１１０において、生産車はホーム画面の「生産者情報の登録／変更１０２０」ボタンを押下し、生産者情報を登録又は変更するためのページに移動する。生産者情報を登録又は変更するためのページでは、生産車に関する様々な情報を登録又は変濃くすることができるようになっている。ここで登録する情報とは、例えば、生産者名、所在地、生産規模、現在所有する牛、及び、これまでに生産した牛の履歴などである。入力が完了し、図示されない「送信」ボタンを押下すると、入力した情報がネットオークション管理システム１に送信される（ステップＳ１２０）。
【００５１】
ここでは、ユーザ登録をしたのち、生産者に関する情報を登録する手順について説明したが、これに限ったものではなく、ユーザ登録と同時に、生産者に関する情報を登録するようにしても構わない。
【００５２】
子牛のネットオークション管理システム１の制御部１００は、生産者による入力を受信すると、記憶部３００と協働して生産者登録モジュール１１１を実行し、生産者の操作によって入力された生産者に関する情報を、図４に示す記憶部３００の生産者データベース３１０に登録する（ステップＳ１３０）。
【００５３】
〔ステップＳ１４０〜ステップＳ１６０：取引を行う子牛の登録〕
次に、生産者は、ネットオークション管理システム１が提供するフォーマットに、販売を行う子牛に関する情報を入力し（ステップＳ１４０）、インターネットを介してネットオークション管理システム１に送信する（ステップＳ１５０）。制御部１００は、子牛に関する情報の入力を受け付けると、子牛登録モジュール１１２を実行し、入力された子牛に関する情報を、記憶部３００の子牛データベース３２０に登録する（ステップＳ１６０）。この登録は、生産者データベース３１０に記憶されている生産者に紐づいた状態で行われる。
【００５４】
ステップＳ１４０において、ネットオークションを利用して取引を行う子牛を登録するためには、生産者は、図３に示すホーム画面１０００において、「子牛の新規登録１０３０」ボタンを押下し、子牛を新規登録するためのページに移動する。子牛の新規登録をするためのページでは、子牛に関する様々な情報を入力するようになっている。
【００５５】
入力する情報としては、例えば、生年月日、血統、病歴、配合飼料給与量などがある。その際、血統については、生産者が登録する子牛の血統書をサーバにアップロードすることで、子牛データベース３２０に紐づいて登録されるよう構成される。また、血統書が未発行の場合、代わりに子牛検査票、授精証明書又は移植証明書をアップロードするようにしてもよい。
【００５６】
また、子牛を様々な角度から写真撮影した複数の画像や、動画撮影した映像を登録することもできる。このような情報は、文字や数値による情報よりも、具体的で説得力のある情報であり、購入を検討する者にとっては非常に有用な情報である。撮影の際には、ネットオークション管理システム１の運営者が決めた方法により写真や動画の撮影を行い、体高や体の幅を測定する構成とすることができる。
【００５７】
登録すべき情報の入力が終了し、図示されない「送信」ボタンを押下すると、入力した子牛に関する情報がネットオークション管理システム１に送信される（ステップＳ１５０）。
【００５８】
子牛のネットオークション管理システム１の制御部１００は、子牛に関する情報の入力を受信すると、記憶部３００と協働して子牛登録モジュール１１２を実行し、生産者の操作によって入力された子牛に関する情報を、図５に示す記憶部３００の子牛データベース３２０に登録する（ステップＳ１６０）。
【００５９】
〔ステップＳ１７０〜Ｓ１９０：子牛のグループ化〕
生産者は、子牛を単体ではなくひとつのまとまったグループとして取引を行いたい場合、所定のページにおいて、子牛のグループ化に関する情報を作成し（ステップＳ１７０）、インターネットを介してネットオークション管理システム１に送信する（ステップＳ１８０）。グループ化に関する入力を受け付けると、制御部１００は、子牛グループ化モジュール１１３を実行し、ステップＳ１７０で入力された子牛について、まとめて販売することを希望するグループを作成するグループ化を行う（ステップＳ１９０）。グループ化に関する情報は、グループに登録される各々の子牛に関するＩＤ等の情報からなる。なお、登録しているすべての子牛をグループに入れる必要はなく、一頭で販売を希望する場合は、どのグループにも所属させないことも可能である。
【００６０】
ステップＳ１７０において、子牛をグループ化するためには、生産者はホーム画面１０００における「グループの作成１０４０」ボタンを押下し、グループを作成するためのページである登録子牛グループ作成画面３０００に移動する。
【００６１】
登録子牛グループ作成画面３０００には、図６に示されるように、生産者名３０１０、作成しようとしているグループ名３０２０、登録されている子牛の一覧表である登録子牛一覧３０３０が表示されている。登録子牛一覧３０３０の表には、生産者が所有する牛の中で、子牛データベース３２０に登録されているすべての子牛に関する、牛ＩＤ、画像、月例、病歴などの情報が一覧表示されるようになっている。そして、その子牛をグループに含めることを選択するためのチェックボックス３０４０があり、当該チェックボックス３０４０をクリックしてチェックを入れることで、グループに含める子牛を選択することができる。選択が終わると送信３０６０ボタンを押下することで、作成したグループに関する情報を、ネットオークション管理システム１に送信する（ステップＳ１８０）。
【００６２】
子牛のネットオークション管理システム１の制御部１００は、グループ作成に関する情報の入力を受信すると、記憶部３００と協働して子牛グループ化モジュール１１３を実行し、生産者の操作によって入力された子牛のグループ化に関する情報を、図５に示す記憶部３００の子牛データベース３２０に登録する（ステップＳ１９０）。
【００６３】
なお、図６に示す登録子牛グループ作成画面３０００においては、「別のグループを作成３０５０」ボタンがあり、押下することにより、現在作成しようとしているグループと別のグループを作成することができる。このようにすることで、一つの生産者につき、例えば月例別や性別別のように、複数のグループを作成することができ、入札者の様々な希望に応えることができる。
【００６４】
〔ステップＳ２００〜Ｓ２１０）：仮想市場の作成〕
ネットオークション管理システム１を利用してインターネット上で子牛の売買を成立させるには、インターネット上に仮想市場が必要である。ネットオークション管理システム１の制御部１００は、仮想市場生成モジュール１２１を実行し、仮想市場を作成する（ステップＳ２００）。作成される仮想市場の情報として、入札を開始する日時、入札可能期間、入札を行う対象（例えば子牛の畜種や月齢の制限など）、出品する生産者に求められる要件、入札者に求められる要件、などを入力し、仮想市場の設定を行う。設定が完了すると、作成された仮想市場の情報は、図７に示す記憶部３００に仮想市場データベース３３０として記憶され、また、仮想市場の開催が告知され、同時に、出品者の募集が行われる（ステップＳ２１０）。
【００６５】
〔ステップＳ２２０〜Ｓ２４０）：出品する子牛の登録〕
出品者の募集に応じて、出品をしようとする生産者は、出品する子牛に関する情報を入力し（ステップＳ２２０）、インターネットを介してネットオークション管理システム１に送信する（ステップＳ２３０）。出品する子牛に関する情報の入力は、ステップＳ１６０で登録された子牛やステップＳ１９０でグループ化されたグループの中から選択するようにしてよい。生産者からの出品の申し出を受け付けると、制御部１００は記憶部３００と協働して出品牛登録モジュール１２２を実行し、競売にかけられる牛を仮想市場データベース３３０に登録する。
【００６６】
ステップＳ２２０において、出品をしようとする生産者は、自身の生産者ホーム画面１０００において「オークションの参加登録１０６０」ボタンを押下し、オークションの参加登録を行うページである参加登録画面４０００に移動する。参加登録画面４０００には、図８に示すように、生産者名４０１０、参加しようとするオークションが開催される日時４０２０、参加を送信ボタン４０３０、及び、子牛及び／又は子牛のグループの一覧４０４０が表示される。表示される子牛は子牛データベース３２０に登録済みの子牛である。
【００６７】
参加登録画面４０００の登録子牛一覧４０４０には、登録されている子牛及び／又はグループに関する、ＩＤ、画像、生年月日、重量、病歴などの情報が表示される。上述の通り、登録子牛一覧４０４０に表示されるのは、子牛データベース３２０に登録している子牛であるため、上記ステップＳ１７０〜Ｓ１９０においてグループ化された子牛は、グループとして表示され、グループとして出品可能な状態となっている。したがって、出品はグループ単位で行われてもよいし、単体の牛も出品できるように構成されている。
【００６８】
また、登録子牛一覧４０４０には、出品することを選択するためのチェックボックス４０５０が設けられており、当該チェックボックス４０５０をクリックしてチェックを入れることで、オークションに出品する子牛／グループを選択することができる。選択が終わると送信４０３０ボタンを押下することで、出品する子牛／グループに関する情報を、ネットオークション管理システム１に送信する（ステップＳ２３０）。
【００６９】
そして、登録子牛一覧４０４０には、出品するにあたっての最低落札価格、希望落札価格、及び、即時落札価格を入力する欄４０６０が設けられている。グループとして出品する場合には、グループとしての最低落札価格、希望落札価格、及び、即時落札価格を入力するようになっている。また、グループとして登録した場合であっても、グループに登録されている子牛単体で取引を希望される可能性もあるため、単体で取引する場合の個別価格も設定できるようにしてもよい。また、出品を希望するチェックボックス４０５０にチェックを入れると、価格を入力する欄４０６０に入力できるようにしてもよい。そうすることで、価格は入力したがチェックボックスにチェックを入れ忘れたため出品できなかったというミスを防止することができる。また、この場合、チェックボックス４０５０にチェックを入れたにもかかわらず、価格を入力せずに参加の送信ボタン４０３０を押下した場合、価格を入力していない旨の警告が表示されるようにしてもよい。このようにすることで、出品のチェックの入れ忘れと、価格の入力のし忘れを同時に防止することができる。
【００７０】
参加登録画面４０００における入力が終わると参加の送信ボタン４０３０を押下することで、作成した出品に関する情報を、ネットオークション管理システム１に送信する（ステップＳ２３０）。
【００７１】
子牛のネットオークション管理システム１の制御部１００は、オークションへの出品に関する情報の入力を受信すると、記憶部３００と協働して出品牛登録モジュール１２２を実行し、生産者の操作によって入力された子牛の出品に関する情報を、図７に示す記憶部３００の仮想市場データベース３３０に登録する（ステップＳ２４０）。
【００７２】
〔ステップＳ２５０〜Ｓ２７０：入札者の登録〕
入札者の募集に応じて、入札を希望する入札者は、それぞれの端末（入札者端末）を用いて、ネットオークション管理システム１が提供する所定のフォーマットに入札者に関する情報を入力し（ステップＳ２５０）、インターネットを介してネットオークション管理システム１に送信する（ステップＳ２６０）。入札者から入札の申し出を受け付けると、制御部１００は、入札者登録モジュール１２３を実行し、入札者を登録する（ステップＳ２７０）。入札者の登録は、予めユーザ登録を行ったユーザのみできるようにしてもよい。そのようにすることで、信頼性の高いシステムを構築することが可能となる。
【００７３】
そして、ステップＳ２００で作成された、仮想市場が開催される日時になると、インターネット上で仮想市場が開催される。
【００７４】
次に、インターネット上で開催される仮想市場における入札から落札者が決定し、落札の通知がなされるまでの流れを、図９〜図１１を用いて説明する。
【００７５】
〔ステップＳ３００：オークション画面の表示〕
入札可能期間が開始すると、インターネット上で仮想市場が開催され、ステップＳ２５０〜Ｓ２７０で参加登録をした入札者は、制御部１００の仮想市場表示モジュール１２４が表示する仮想市場にアクセスできるようになる。仮想市場へのアクセスは、インターネットブラウザにオークションの画面が表示されるようにしてもよいし、あるいは、オークション開催に先立ち、専用のアプリケーションをダウンロードするようにしておき、アプリケーションを起動すると、仮想市場の画面が表示されるようにしてもよい（ステップＳ３００）。いずれにしても、入札者は、予め与えられたＩＤ及びパスワードを入力することで、各々の端末から仮想市場にアクセスすることができる。
【００７６】
このとき、表示されるメニューとして、図１０に示すような生後０〜５か月の子牛を売るための子牛育成者向けメニューである育成者向け入札画面５０００と、図１１に示すような生後６〜１２か月の子牛を売るための子牛肥育者向けメニューである肥育者向け入札画面６０００とを設けることができる。このようにすることで、子牛の各フェーズにおいて最適なメニューを配信することが可能なシステムを提供できる。
【００７７】
図１０に示す育成者向け入札画面５０００においては、入札者名５０１０、対象月齢５０２０、注目情報５０３０、入札価格の送信ボタン５０４０、オークションの残り時間５０５０、入札対象子牛一覧５０６０が表示されている。
【００７８】
入札者名５０１０の欄に自身の名称が表示されていることにより、自身のページであることを確認することができる。また、対象月齢５０２０が表示されていることにより、自身に合ったオークションに参加していることを確認することができる。また、オークションの残り時間５０５０がカウントダウン形式で表示されていることにより、オークションが終了するまでの残りの時間を確認することができる。
【００７９】
図１１に示す肥育者向け入札画面６０００においては、入札者名６０１０、対象月齢６０２０、注目情報６０３０、入札価格の送信ボタン６０４０、オークションの残り時間６０５０、入札対象子牛一覧６０６０が表示されている。
【００８０】
入札者名６０１０の欄に自身の名称が表示されていることにより、自身のページであることを確認することができる。また、対象月齢６０２０が表示されていることにより、自身に合ったオークションに参加していることを確認することができる。また、オークションの残り時間６０５０がカウントダウン形式で表示されていることにより、オークションが終了するまでの残りの時間を確認することができる。
【００８１】
このように、子牛育成者向けのメニューと子牛肥育者向けのメニューを別々に表示させることにより、例えば肥育農家が生後間もない子牛を購入してしまうといった誤った取引をしてしまうことを防止することができるとともに、それぞれの育成フェーズに合った情報を提供することができるという効果を奏する。
【００８２】
また、入札対象子牛一覧５０６０、６０６０に示すように、入札対象となっているのは一頭ごとの子牛のみならず、グループで入札することが可能となっている。このようにすることで、大量の子牛の取引をする場合であっても、入札に時間をかけることなく、取引を成立させることができる。
【００８３】
〔ステップＳ３１０〜Ｓ３３０：入札情報の登録〕
購入を希望する子牛育成者ないし子牛肥育者である入札者は、各々の入札者端末に入札価格に関する情報を入力し（ステップＳ３１０）、インターネットを介して入札価格情報をサーバにアップロードする（Ｓ３２０）。入札価格情報を受け付けると、制御部１００は記憶部３００と協働して入札価格入力モジュール１２５を実行し、それぞれの入札者の入札価格情報を仮想市場データベース３３０に登録する（ステップＳ３３０）。
【００８４】
子牛育成者又は子牛肥育者は、それぞれの入札画面５０００、６０００において、入札対象子牛一覧５０６０、６０６０に表示される子牛及び／又はグループを確認し、入札を希望する子牛及び／又はグループにおける入札欄５０７０、６０７０のチェックボックスにチェックを入れる。そして、入札価格を入札価格欄５０８０、６０８０に入力し（ステップＳ３１０）、入札価格の送信ボタン５０４０、６０４０を押下することで、入札価格に関する情報を、入札者に紐づけて、ネットオークション管理システム１に送信する（ステップＳ３２０）。
【００８５】
このとき、入札対象子牛一覧５０６０、６０６０には、入札の対象となっている子牛及び／又はグループに関する現在の最高値５０９０、６０９０が表示されるようになっており、入札者はその値を参考にして、入札価格を入力することができる。
【００８６】
そして、子牛のネットオークション管理システム１の制御部１００は、入札価格に関する情報の入力を受信すると、記憶部３００と協働して入札価格登録モジュール１２５を実行し、入札者の操作によって入力された入札価格に関する情報を、図７に示す記憶部３００の仮想市場データベース３３０に登録する（ステップＳ３３０）。
【００８７】
なお、ステップＳ３１０における入札価格情報の入力は、入札可能期間中にそれぞれの入札画面５０００、６０００を見ながら行うようにしてもよいし、事前に入札額や最高入札額を設定しておき、入札可能期間になると自動で入札するよう設定しておくことも可能である。
【００８８】
入札可能期間中は、参加登録しているいずれの入札者も入札することが可能である。そして、参加している入札者には、図１０及び図１１に示すように、現時点での最高入札価格が表示されるようになっている（ステップＳ３４０）。また、現時点で最高値を提示している入札者であっても、他の入札者が最高値を更新する入札額を提示した場合には、更新された最高値が通知されるようになっている。このような通知は、Ｅメールなどにより通知されるようにしても構わないし、仮想市場の入札画面５０００、６０００にメッセージとして表示されるようにしてもよい。このように構成することにより、入札者は自分が落札できるかどうかが判断できるようになっている。
【００８９】
また、出品者が設定する即時落札価格を超える価格が提示された場合、入札可能期間が終了する前であっても、入札を終了させ落札者を決定することができる。あるいは、入札可能期間が終了する際、すべての入札価格が出品者が提示する最低落札価格を超えていない場合、取引を不成立とすることができる。
【００９０】
〔ステップＳ３６０：落札者の決定〕
入札可能期間が終了すると（ステップＳ３５０）、制御部１００は落札者決定モジュール１２６を実行し、入札可能期間中に最も高値で入札を行った入札者を、落札者として決定する（ステップＳ３６０）。そして、落札者に対し、落札の決定、支払いの方法や期限、商品の受け取りなどについて通知するとともに（ステップＳ３７０）、出品者に対し、落札者の情報、落札価格、商品の発送などについて通知する（ステップＳ３８０）。
【００９１】
支払いに関しては、クレジットカードや銀行振り込みにより行うようにし、ネットオークション管理システム１の運営者は支払いに関与しない構成とすることができる。そのようにすることで、個人情報の不要な流出を防止し、適切なシステムとすることができる。
【００９２】
その際、運営の手数料として、取引成立額に対して所定の手数料率から算出される金額を、出品者に対して課金するようにしてもよい。例えば、電子決済を行うためのウェブサイトへの決済リンクを出品者に対して通知するようにすることができる。
【００９３】
また、落札された子牛を入札者に納品する際、送料が発生するが、届け先と頭数に応じて送料を自動で計算するよう構成しても構わない。このように構成することで、輸送に係る費用を適切に計算することが可能となる。
【００９４】
このように、インターネットを利用した仮想市場でオークションを行うことにより、出品者にとっては、市場へ子牛を移動させるコストを削減することができ、入札者にとっては、自宅や職場にいながらにしてせりに参加することが可能なシステムを構築することができる。また、グループ化した子牛を販売するシステムを構築することで、割安な価格設定をすることが可能となるため、入札者にとっては手ごろな価格で購入することができるとともに、出品者にとっては、なかなか買い手がつかない子牛を処分する必要がなくなり、保有する子牛の管理が容易となる。
【００９５】
また、上記ネットオークション管理システム１の変形例として、以下のような構成を導入することができる。
【００９６】
［変形例１］
仮想市場に出品されている子牛の血統書をダウンロードできるよう構成することができる。上記ステップＳ１４０〜Ｓ１６０において、生産者が子牛を登録する際に、血統書をアップロードすることになっているが、入札を検討する者は、検討材料とするために、当該血統書をダウンロードして閲覧することができる。図１２に、血統書をダウンロードするためのページである血統書ダウンロード画面７０００の一例を示す。血統書ダウンロード画面７０００には、生産者名７０１０の表示と、その生産者が登録している牛の一覧７０２０が表示される。登録子牛一覧７０２０の表には、ＩＤ７０３０及びダウンロード可能な血統書７０４０が表示されている。さらに、三代表示７０５０として、子牛の父牛、祖父牛、曽祖父牛の三者がインデックス表示されるよう構成されている。
【００９７】
そして、血統書ダウンロード画面７０００においては、登録子牛一覧７０２０に表示される血統書をクリックすることでダウンロードできるよう構成されている。このように、血統書をダウンロードできるよう構成することで、取引の信頼性を確保することができるとともに、三代の牛の履歴を表示させるため、子牛の血筋を把握することが可能なシステムを提供できる。
【００９８】
また、その際、産まれて間もない等の理由により、血統書に鼻紋がない子牛に関しては、信用取引を行うこととし、鼻紋がある血統書が届いたら買い主に送付するよう通知する構成とすることができる。このようにすることで、牛の個体を識別する鼻紋を確実に入手できる仕組みを構築することが可能となる。
【００９９】
また、鼻紋がある血統書が届いたにもかかわらず買い主に送付していない売り主を識別し、当該売り主を管理する手段を備えるよう構成してもよい。このようにすることで、買い主が鼻紋のある血統書を確実に入手できるため、より信頼性の高いシステムを構築することが可能となる。
【０１００】
［変形例２］
入札者が自ら、購入したい組み合わせを選ぶことができる。つまり、上記の例では、生産者がグループを作成していたが、入札者がグループを作成して入札する構成とすることができる。つまり、この牛とこの牛とこの牛のグループであればいくらで購入します、といったメッセージを、ネットオークション管理システム１を介して生産者に対して送信することができる。この場合、グループに属する頭数に応じて、購入の際の割引率が変化するよう構成することができる。このようにすることで、入札者の希望に応じた購買行動を促すことができ、より、購買意欲をより刺激することができる。
【０１０１】
［変形例３］
運送業者である家畜商と、出品者の子牛の販売額が、所得税及び住民税に関して免税となる売却証明書を発行する権利を持つ、家畜市場又は農協を、ネットオークション管理システム１運営者が紹介する構成とすることができる。そして、地図上に表示して提示することができる。
【０１０２】
［変形例４］
仮想市場の画面において、牛ごとのレビューを表示することができる。つまり、仮想市場の画面において、第三者である家畜商によるレビューを表示させることで、入札者にとっては、第三者の目から見た子牛の評価を知ることができるため、購入に際しての判断材料を得ることができる。
【０１０３】
［変形例５］
取引が成立し、子牛が納品されたのちに、購入者による、出品者の対応や購入した子牛のその後に関するレビューを登録するようにすることができる。このようにすることで、出品者としては、農場の評判をインターネットを通して広めることができるため、多くの出品者が集まるようになり、より質の高い取引を行うシステムを構築することが可能となる。
【０１０４】
［変形例６］
不正の利用や実体のない取引を防止するため、返金保証や返品保証を付することができる。または、購入者に関するこれまでの購入履歴やキャンセル履歴（回数及び／又は金額）なども表示するよう構成することができる。このように構成することにより、より信頼性の高いシステムを構築することが可能となる。
【０１０５】
［変形例７］
社会的に評価を得ている団体のみ入札可能とするシステムとすることができる。インターネットを利用した取引システムの場合、売買にかかわる者の顔を見ることができず、素性を知ることもできない。したがって、入札に際しては、予め第三者機関による評価を受け、入札可能と認められる評価以上の評価を得ることを、参加の条件とすることもできる。あるいは、入札者の信頼性を担保するために、入札予定額の所定の割合の予納金を納めるようにし、予納金の金額に応じて入札できるよう構成することも可能である。
【０１０６】
［変形例８］
本実施形態におけるネットオークションでは、生産者によって出品の手続きが行われたが、生産者以外の子牛、つまり、自社牛以外の出品についても受け付ける構成とすることができる。その場合、ステップＳ２２０〜Ｓ２４０において、生産者ではない出品者が、出品の申し出を行うこととなる。このような場合、出品者の審査を行うことで、不正がなく信頼性の高いシステムを構築することが可能となる。
【０１０７】
［変形例９］
落札された子牛または子牛のグループを落札者の元へ運送する際の運送業者を選定する機能をさらに備えることができる。
【０１０８】
子牛という特殊な荷物を配送するにあたり、運送業者によって制約条件が設定されている場合もあり、また、一頭当たりの配送単価等の配送料の設定もさまざまである。さらに、運送業者によっては、頭数が増えると割引を受けることができる場合もある。
【０１０９】
本変形例においては、制御部１００は、複数の運送業者の中から適切な運送業者を選択する運送業者選定モジュール１２７を実行し、顧客によって入力された条件に適合する運送業者をピックアップする。
【０１１０】
図１３に、落札者が運送業者を選択するための条件を入力する運送業者選定条件入力画面８０００の一例を示す。運送業者選定条件入力画面８０００は、セリで落札した入札者の入札者端末に表示されるものである。入力される条件としては、配送先である買い主（落札者）の名称８０１０及び住所８０２０、配送元である売り主（生産者）の名称８０３０及び住所８０４０、配送される子牛の頭数８０５０、配送を希望する日時８０６０等が挙げられる。また、配送に関して希望がある場合等に自由に記入ができる備考欄８０７０も設けられている。
【０１１１】
なお、買い主の名称８０１０及び住所８０２０、及び、売り主の名称８０３０及び住所８０４０は自動で入力されるようにしてもよい。
【０１１２】
落札者が端末上で条件を設定し、送信ボタン８０８０を押下することでインターネットを介してネットオークション管理システム１にアクセスして、条件に関する情報を送信すると、制御部１００は運送業者選定モジュール１２７を実行し、図示しない運送業者データベースに登録されている運送業者の中から、配送可能な運送業者をピックアップし、ピックアップされた運送業者に関して、それぞれの配送料を算出する。運送業者データベースには、予め複数の運送業者と、配送可能地域、配送エリアによる配送単価、子牛一頭ごとの配送単価、まとめて配送可能な子牛の頭数、頭数による割引の有無及び割引率などが記憶されている。
【０１１３】
配送料の算出に際しては、図１３で入力された配送元住所と配送先住所から導出される距離、及び、運送する子牛の頭数などの条件と、運送業者データベースに記憶されいてる運送業者ごとの条件とを使用して算出を行う。その際、頭数による割引が設定されている運送業者の配送料を算出するにあたっては、その割引率を考慮に入れて算出を行う。
【０１１４】
配送料が算出されると、落札者の端末に対し、図１４に一例を示すような、推奨される運送業者と配送料を含む取引の総額に関する情報を推奨運送業者選択画面９０００として送信する。
【０１１５】
推奨運送業者選択画面９０００には、運送業者選定条件入力画面８０００で入力された、落札者の名称９０１０及び住所９０２０、生産者の名称９０３０及び住所９０４０、配送される子牛の頭数９０５０、配送を希望する日時９０６０に加え、推奨運送業者一覧９０７０が表示される。
【０１１６】
推奨運送業者一覧９０７０に表示される運送業者は、登録されている複数の運送業者のうち、算出された配送料が安い業者の中から自動的に選定されるよう設定されている。また、過去に利用したユーザの評価が高い運送業者を選定するよう設定することもできる。
【０１１７】
推奨運送業者一覧９０７０には、運送業者名のほか、運送業者の特徴９０８０、配送料９０９０及び配送料を含む取引総額９１００が表示される。また、図示は省略するが、過去のユーザによる代表的なレビューを掲載するようにしてもよい。さらに、複数表示される運送業者の中から、配送を依頼する運送業者を選定するためのチェックボックス９１１０を設けてもよい。
【０１１８】
このようにすることで、運送業者ごとに異なる配送料の設定を、システム側が自動的に調べたうえで、推奨される運送業者を提示するため、落札者の負担を軽減し、使い勝手の良いシステムを構築することができる。また、単に、最も配送料が安い運送業者が自動的に選択されるのではなく、配送料を考慮に入れつつ、落札者の好みや評判を考慮に入れて選択をすることができるようになり、使い勝手のよいシステムを構築することができる。
【０１１９】
［変形例１０］
入札者端末において、好みの血統の子牛を登録する機能をさらに備え、当該好みの子牛に類似する血統の子牛の上場があると通知を受けることができる機能を備えることができる。
【０１２０】
この場合、生産者は図３に示されるボタン１０３０を押下して子牛を登録する際に、１代祖（父）、２代祖（母の父）、３代祖（母の母の父）及び４代祖（母の母の父）を入力する。このようにすることで、登録されて上場した子牛の血統を明らかにすることができる。
【０１２１】
そして、入札に参加する子牛育成者や子牛肥育者は、管理画面から好みの血統の子牛を登録することができ、好みの血統に類似する血統の子牛が上場されると、管理画面やメールで通知されるよう設定することとができる。
【０１２２】
登録した子牛の血統に類似する血統は、入力された代祖によって決定される。例えば、１代祖と２代祖の組み合わせが同一なら類似の血統であると判断して推奨する、といった設定をすることができる。
【０１２３】
また、生産者端末には、買い手に人気のある血統の傾向が分かるようなランキングが表示されるようにしてもよい。このようにすれば、買い手の好みの傾向が分かり、生産者が交配の方針を決定する際の検討材料となる。
【０１２４】
さらに、子牛のネットオークション管理システム１に登録されている子牛を一覧表示させ、一覧表上で血統や性別によってソートする機能や、血統や性別によって子牛を検索する機能を持たせるようにしてもよい。
【０１２５】
さらに、売り手である生産者及び買い手である子牛育成者または子牛肥育者双方のレビューを表示させるようにしてもよい。
【０１２６】
［変形例１１］
生産者が子牛を仮想市場に出品する際の希望落札価格が、上場からの経過に応じて自動的に変動する機能を持たせることができる。
【０１２７】
子牛の育成には、飼料等の材料費がかかるため、子牛の適正な取引価格は、上場後の日数に応じた材料費分だけ上昇していく。そこで、本変形例では、希望落札価格を自動的に計算する落札価格計算モジュール１２８を備える。
【０１２８】
上述の通り、図８に示すように、参加登録画面４０００においては、子牛を出品するにあたっての希望落札価格を入力する欄４０６０が設けられており、子牛のネットオークション管理システム１は、入力された希望落札価格を受け付ける。
【０１２９】
本変形例においては、子牛のネットオークション管理システム１が特定の子牛の出品と希望落札価格とを受け付けると、制御部１００が落札価格計算モジュール１２８を実行し、上場してからの日数に応じた材料費を計算し、一日当たりの材料費単価と希望落札価格とを画面に表示する。
【０１３０】
ここで、希望落札価格の自動計算は、上場時の希望落札価格に対し、上場後の日数に応じた材料費を上乗せするものであるが、材料費をそのまま上乗せしてもよいし、材料費に所定の係数を乗じた金額を上乗せしてもよい。あるいは、経過日数に応じた係数を上場時の希望落札価格に乗算するようにしてもよい。
【０１３１】
このようにすることで、上場後にも生産者が負担する飼料等の材料費を考慮に入れて希望落札価格を自動的に設定することができるため、生産者の負担を軽減し、より使い勝手の良いシステムを構築することができる。
【０１３２】
［変形例１２］
本実施形態に係る子牛のネットオークション管理システム１を利用して入札に参加した参加者に対し、これまでの取引実績に応じたランクを付与し、当該参加者が入札する際に、仮想市場の画面にランキングが表示される機能を備えることができる。
【０１３３】
本変形例においては、制御部１００はランキング表示モジュール１２９を実行し、所定の期間における取引額が多い入札者から順にランキングを付与する。ランキングは図示しない入札者データベースに記憶される過去の所定期間（例えば、ここ一年）における取引額を用いて決定される。また、取引額そのものではなく、高額なセリの実績によって決定するようにしてもよい。あるいは、落札の回数によってランクを付与するようにしてもよい。
【０１３４】
そのほか、付与されるランクとしては、入札者の高額落札ランキングや落札頭数ランキングに加え、生産者の高額販売ランキングや累計上場ランキングなどのランキングが挙げられる。生産者のランキングに関しては、図４に一例を示す生産者データベース３１０に記憶されている、高額子牛の取引額の総額や、上場した子牛の頭数などによって決定される。
【０１３５】
付与されたランキングは、図１０に一例を示すように、メインの画面の欄外にランキング画面５１００として表示することができる。ランキング画面５１００は、例えば、１〜５位までの者の端末に表示されるように設定することができる。このように欄外にランキング表示専用の画面が表示されるようにすれば、入札画面だけでなく、各種設定画面を表示させている際にもランキング画面を表示することができ、落札者の名誉欲を一層満足させることができる。なお、図１１における肥育者向けの画面６０００、及び、図３に示す生産者ホーム画面１０００においても同様の手段によってランキング画面を表示することができる。
【０１３６】
また、図１５に一例を示すように、各種ランキングについて、例えば１〜１００位等、所定の順位までを一覧表示するランキング一覧表示画面１００００を作成するようにしてもよい。ランキング一覧表示画面１００００においては、所定の期間における上記のランキングについてまとめて表示する。ランキング一覧表示画面１００００は、各端末の管理画面において、図示しないランキングボタンを押下することによって表示させることができる。このようにすることで、自身の現在のランキングを知ることができ、落札意欲を喚起することができる。
【０１３７】
仮想市場の入札画面において、これまでの実績を表すランキングが表示されると、表示される者にとっては名誉なことであり、入札者の落札意欲を刺激して、多くの入札者を集めることができる。
【０１３８】
また、生産者のランキングが表示されることで、生産者の名誉心を刺激することができ、多くの出品を集めて、より活発な仮想市場を実現することができる。
【０１３９】
以上のように構成することで、大量の牛を購入する場合であっても時間をかけることなく取引を成立させることができ、かつ、インターネットを介しているため牛の移動のためのコストや購入者の移動コストがかからない仮想市場を実現することが可能な子牛のネットオークション管理システムを提供することができる。
【０１４０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１４１】
１      子牛のネットオークション管理システム
１００  制御部
１１１  生産者登録モジュール
１１２  子牛登録モジュール
１１３  子牛まとめモジュール
２００  通信部
３００  記憶部
３１０  生産者データベース
３２０  子牛データベース
【図１】
2019192239.tif 000003
【図２】
2019192239.tif 000004
【図３】
2019192239.tif 000005
【図４】
2019192239.tif 000006
【図５】
2019192239.tif 000007
【図６】
2019192239.tif 000008
【図７】
2019192239.tif 000009
【図８】
2019192239.tif 000010
【図９】
2019192239.tif 000011
【図１０】
2019192239.tif 000012
【図１１】
2019192239.tif 000013
【図１２】
2019192239.tif 000014
【図１３】
2019192239.tif 000015
【図１４】
2019192239.tif 000016
【図１５】
2019192239.tif 000017
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
子牛の売り主と買い主とをマッチングすることでインターネット上における子牛のオークションを可能にした子牛のネットオークション管理システムであって、
出品する複数の子牛をまとめるグループ化手段を実行する制御部と、
前記グループ化手段によってグループ化された子牛を販売単位として登録される記憶部と、
を有し、
前記制御部は、特定の子牛の出品と希望落札価格とを受け付けると、上場してからの日数に応じた材料費を計算する落札価格計算手段を実行し、
一日当たりの材料費単価と、上場後の日数に応じた前記材料費が上乗せされた希望落札価格とを画面に表示する表示部を有する、
子牛のネットオークション管理システム。
【請求項２】
前記表示部は、生後０〜５か月の子牛を売るための子牛育成者向けメニューと、生後６〜１２か月の子牛を売るための子牛肥育者向けメニューとを画面に表示する、
請求項１に記載の子牛のネットオークション管理システム。
【請求項３】
前記制御部は、子牛の血統書をインターネットからダウンロードするための手段を実行し、
前記表示部は、インデックス画面に父牛、祖父牛、曽祖父牛の三者を画面にインデックス表示する、
請求項１に記載の子牛のネットオークション管理システム。
【請求項４】
前記制御部は、血統書に鼻紋がない子牛については信用取引をし、鼻紋がある血統書が届いたら買い主に送付するよう通知する手段を実行する、
請求項３に記載の子牛のネットオークション管理システム。
【請求項５】
前記制御部は、鼻紋がある血統書が届いたにもかかわらず買い主に送付していない売り主を識別し、当該売り主を管理する手段を実行する、
請求項４に記載の子牛のネットオークション管理システム。
【請求項６】
前記制御部は、牛の届け先及び頭数に応じて送料を計算する手段を実行する、
請求項１に記載の子牛のネットオークション管理システム。
【請求項７】
前記制御部は、予め登録されている複数の運送業者の中から推奨する運送業者を選定する運送業者選定手段を実行し、
前記運送業者選定手段は、前記登録されている複数の運送業者ごとの配送料を算出し、複数の運送業者のうち配送料が安い運送業者を、推奨する運送業者として選定する、
請求項１〜６のいずれかに記載の子牛のネットオークション管理システム。
【請求項８】
前記制御部は、前記配送料を配送元の住所及び配送先の住所から導出される距離に加え、配送する子牛の頭数に応じた割引率を考慮して算出する、
請求項７に記載の子牛のネットオークション管理システム。
【請求項９】
入力部が、売り主が落札を希望する価格である希望落札価格の入力を受け付け、
前記制御部は、出品する子牛を登録した後の経過日数に応じて前記希望落札価格を自動的に計算する落札価格計算手段を実行する、
請求項１〜８のいずれかに記載の子牛のネットオークション管理システム。
【請求項１０】
前記表示部は、取引実績に応じて買い主及び／又は売り主に対してランキングを付与し、当該ランキングを管理画面に表示する、
請求項１〜９のいずれかに記載の子牛のネットオークション管理システム。